(57)【要約】      （修正有）【課題】虫を潰さずに捕獲できる捕獲器であり、捕獲機会を増やし捕獲確率を上げる捕獲器を提供する。【解決手段】叩き板2と柄3からなり、叩き板2の叩き面には針1が突出している針刺し型虫捕獲器であって、針1は太さ0.2〜1mm、長さ2〜20mm、間隔は2〜10mmで本数は50〜500本、針1の先端は同一の面になっており、叩き板2の重さは20〜120ｇで叩き板2には柄3が連結固定され、柄3の長さは20〜70cm、柄3は針1を平面5に密着させたとき平面5から離れる方向で5〜30度の角度で連結固定され、叩き板2の平面形状は上底30〜80mm、下底50〜130mm、高さ50〜200mmの等脚台形であり、叩き板の厚さは1〜5mmであることを特徴とする。【選択図】図３
2014226119.tif 000002
【特許請求の範囲】
【請求項１】
叩き板2と柄3からなり、叩き板2の叩き面には針1が突出している針刺し型虫捕獲器であって、針1は太さ0.2〜1mm、長さ2〜20mm、間隔は2〜10mmで本数は50〜500本、針1の先端は同一の面になっており、叩き板2の重さは20〜120ｇで叩き板2には柄3が連結固定され、柄3の長さは20〜70cm、柄3は図3のように針1を平面5に密着させたとき平面5から離れる方向で5〜30度の角度で連結固定され、叩き板2の平面形状は図2のように上底30〜80mm、下底50〜130mm、高さ50〜200mmの等脚台形であり、叩き板の厚さは1〜5mmであることを特徴とする針刺し型虫捕獲器。
【発明の詳細な説明】
【技術分野】
【０００１】
本発明は虫を叩くと同時に針で刺して虫を潰さずに捕獲機会を増やすことができる針刺し型虫捕獲器に関する。
【背景技術】
【０００２】
従来の虫捕獲は虫をハエタタキやスリッパ、丸めた新聞紙等の身近なもので叩いて潰しての捕獲が多かったが（粘着式、薬品、誘い込み式を除く）そのため虫が潰れた時虫の体液が噴出され周囲に付着し不潔であり、また噴出した体液を掃除する必要があった。
【０００３】
叩く力を弱めればこの汚れを少なくすることはできるが叩く力が適切でないと虫が潰れずに捕獲ができないことがあった。
虫がカーペットや布団の上にいる時は潰れて汚れた時の恐怖を考えた時叩くことすら出来なかった。
【０００４】
ハエタタキやスリッパ、丸めた新聞紙等の身近なものではそれぞれに材質や形が違い叩く角度や叩く強さをその都度配慮する必要があり、適切な叩き方にすることが難しく叩いても潰れずに捕獲できないことがあった。
部屋のコーナーから2〜3cm以内にいる虫を捕獲しようとするときハエタタキやスリッパ、丸めた新聞紙等の身近なものでは形が定まっていないため虫のいる部分の付近は叩けても虫を直接叩くことは難しく、よって潰せることはまれで捕獲できることは少なかった。
【０００５】
布団の上で発見した虫は虫だけが叩ければ潰しての捕獲もできるが実際には虫と一緒に布団も叩くことになり布団を叩く面積の方が虫の面積より広いことがほとんどで虫は布団に沈み込んでしまい潰すには至らず捕獲できないことが多かった。
【０００６】
以上の様に汚れの恐怖から叩き方を弱くすると捕獲ミスにつながったり、汚れを除去し難いところにいたり、叩き難いところにいる場合は掃除しやすく、叩き易いところに出てくるのを待つうちに物陰に逃げられ、取り逃がしたりとせっかく見つけても捕獲行動すら取れずに諦めざるを得ないことが多かった。
先行技術文献１には線条体をもちいた虫叩き器が開示されているが、大きな虫を効率的に捕獲するには不十分であるという問題点があった。
【先行技術文献】
【特許文献】
【０００７】
【特許文献１】特開２００３−９７４９号公報
【発明の概要】
【発明が解決しようとする課題】
【０００８】
虫を潰さずに捕獲できる捕獲器であり、捕獲機会を増やし捕獲確率を上げる捕獲器を提供することを目的とする。
【課題を解決するための手段】
【０００９】
本発明は図1のように叩き板2と柄3からなり叩き板3の叩き面に虫の体の厚さより長い針1を突出させたものである。この手段による作用は柄3を持って虫を叩いた時針1で虫を刺し針1の長さが虫の体の厚さより長くなっていることで叩き板3から針1の長さ以内に虫が収まることにより虫が潰れる事が無くなり、虫の周囲を汚さずに捕獲できることである。
【００１０】
針1の太さ、長さ、間隔は捕獲対象の虫によって変えることが好ましく、針1の太さは刺した時体液の流出を防ぐためには細いことが望ましいが、しかし製造上、長さ2mmの短い針は0.2mmの太さがあれば問題は無いが長さ20mmの長い針の場合は1.0mmの太さが好ましい。これと捕獲時の叩く力による針破損の防止を考慮すると小さい虫の場合で直径0.2mm、大きい虫で直径1mmが好ましい。また針1の破損防止のためには図５の様に根元に針1の直径と同じ数値のR 4を付けることが好ましい。
【００１１】
針1の長さは虫を叩いた時潰れることの無いように捕獲対象の虫の体の厚さによって長さを変えることが好ましく、例えば小さい虫用には2mm、大きい虫用には20mmが好ましい。
【００１２】
虫の確実な捕獲のためには5本以上の針1が虫に刺さるのが好ましく、針1の突出の間隔は捕獲対象の虫が例えば小さい時には2mm、大きい時には10mmが好ましい。また虫の大きさや、虫の俊敏性によって捕獲率を上げるために叩き面2の大きさも変えるのが好ましく、この2つの理由によって、針1の本数は50〜500本の範囲で設定する必要がある。
【００１３】
叩き板2と柄3は連結固定されており柄3は図3のように全ての針1を平面5に密着させたとき平面5から離れる方向での角度が付いている。虫を叩くときには柄3を持つ手と平面5との間に空間6があると叩きやすくこの空間6のためには柄3の角度は柄3の長い場合で5度、短い場合で30度が必要である。
【００１４】
叩き板2の平面形状は図2のように等脚台形であり、図6のように全ての針1を床8に密着させた状態で等脚台形の片方の脚を壁7に隙間なく当てて虫の逃げ場を無くした時、柄3が壁7から離れる方向に等脚台形の脚の角度を利用している。この手段による作用は床側のコーナーを歩いている虫を叩いて捕獲するとき柄3の末端が壁7から離れ、柄3を手で持つ空間9が出来、捕獲をしやすくさせている。
【００１５】
また、図7のように全ての針1を壁7に密着させた状態で等脚台形の片方の脚を床8に隙間なく当てて虫の逃げ場を無くした時、柄3が床8から離れる方向に等脚台形の脚の角度を利用している。この手段による作用は壁側のコーナーを歩いている虫を叩いて捕獲するとき全ての針1を壁に、等脚台形の片方の脚を床8に密着させた時、柄3の末端が床7から離れ柄3を手で持つ空間10が出来、捕獲をしやすくさせている。
【００１６】
叩き板2の連結部分と柄3には叩いて下底側の針1の一列が図3の平面5に上底側の針1より先に当たった時、下底側の針1の一列が支点となって叩いた反動で全ての針が接触させられるだけの弾力性および柔軟性を有していることが好ましい。この弾力性および柔軟性は下底側の針1の一列が平面5に接触した時、等脚台形の高さが50mmの時5mm、200mmの時で20mm浮いていても叩いた反動で全ての針1が平面に瞬間的に接触させられるだけの性能が好ましい。またこのように反動を利用することから叩き板2の重さも重要になり、軽い物で20ｇ、重い物で120gが必要になる。
【００１７】
以上のような特徴を持つ針刺し型虫捕獲器の生産にあたってはポリエチレン、ポリプロピレン等のオレフィン系樹脂を用いた合成樹脂射出成型によることが好ましい。
【００１８】
叩き板には空気の抵抗を減らすための空間（穴など）を設けてもよい。
【発明の効果】
【００１９】
虫の体を刺して捕獲する方法のため小さい力でも刺すことが出来、叩く力の強弱によっ
てこれまでの様に捕獲率が左右されることは無い。
虫を潰さずに捕獲出来るので叩いた時に虫のいた周囲を汚すことがない。
虫が床面コーナーにいる時でも捕獲しやすい。
虫が壁面コーナーにいる時でも捕獲しやすい。
柔らかい布団の上にいる虫でも叩いた時小さな力で虫を刺せるので虫が布団に沈み込む
ことなく捕獲できる。
虫が潰れることがないのでカーペットのように体液除去の困難な場所でも清潔に捕獲で
きる。
【００２０】
虫が潰れた時の汚れの恐怖が無くなったこと、捕獲の確率が上がったことで捕獲の失敗を恐れることが無くなり躊躇せずに叩けるようになったことで捕獲機会が増えた。
【００２１】
という効果を有する。
【図面の簡単な説明】
【００２２】
【図１】俯瞰図
【図２】平面図
【図３】側面図(平面5に針を密着させた図)
【図４】叩き面から見た図（図2の反対面）
【図５】図2の部分図(A-A断面)
【図６】針1を床8に密着させ、等脚台形の一方の脚を壁7に密接させたときの図面
【図７】針1を壁7に密着させ、等脚台形の一方の脚を床8に密接させたときの図面
【発明を実施するための形態】
【００２３】
厚さ2mmのプラスチックの板(溶融温度200℃)を切断して上底45mm、下底65mm、高さ90mmの等脚台形の叩き板2を作ります。この等脚台形の叩き板2の上底から2.5mmの所に上底と平行にケガキ線を一本入れます。このケガキ線に平行に5mm間隔で一本目も含めて18本のケガキ線を入れます。等脚台形の左右の脚から2.5mmの位置に等脚台形の左右の脚に平行な左右各1本のケガキ線を入れます。これと平行に、左右1本のケガキ線も含め左右に同間隔で各5本のケガキ線を入れます。これで上底は片側4等分、両側で8等分になります。これで等脚台形の叩き板2に平行四辺形が左右合わせて片側68個両方で136個が描かれました。
【００２４】
次に左右の脚に平行な6本目のケガキ線、左右各1本を下底から入れます。このケガキ線は等脚台形の対称軸に接したところで終了させます。この6本目の線と上底及び下底の線と平行の線の下底から9本の線とで平行四辺形は等脚台形の対称軸の両側に片側8個、両側で16個が追加されます。これで平行四辺形の総数は152個となります。あとは等脚台形の対称軸を挟んだ中央付近は必ずしも等間隔ではなくなりますのでこの等間隔でない部分を含めケガキ線の交点に198本の針1を突出させることになります。その針1の本数を次に示します。
上底から1、2、3本目＝台形の左右足からの各4本と等脚台形の対称軸状に1本の各列9本の3列で計27本。
上底から4、5本目＝等脚台形の左右脚からの各5本の計10本の2列で20本。
上底から6〜12本目＝等脚台形の左右脚からの各5本と等脚台形の対称軸状に1本の計11本の7列で計77本。
上底から13〜16本目＝等脚台形の左右脚からの各6本の計12本の3列で計48本。
上底から17〜18本目＝等脚台形の左右脚からの各6本の計12本と等脚台形の対称軸状に1本の計13本の2列で計26本。の総計198本の針1を刺すことになります。
【００２５】
直径0.7mm、長さ8mmのプラスチック棒(溶融温度200℃)198本を針1として用意します。
作業台として3〜10mm程度の厚さの叩き板2より大きな金属板を用意しその上に叩き板2を置きます。そして針1より細い直径0.5mm長さ20mm程度の300℃で簡単に変形しない金属棒をペンチで挟み火力で250℃に加熱し加熱した金属棒を突出させるケガキ線の交点に直角に当て金属棒の熱により叩き板2のケガキ線の交点を溶かしながら金属棒を圧入します。2mmのプラスチック板を金属棒が貫通し、金属棒で溶かしたケガキ線の交点の穴が溶融しているうちに先に用意した直径0.7mm長さ8mmの198本の内の1本のプラスチック棒をその穴に垂直に挿入します。このことでプラスチック棒と叩き板2が熔着され針1が叩き板2より6mm突出することになります。この過程で針1の周囲に溶けて盛り上がった叩き板2のプラスチック部分のある場合はこれを上から常温の金属棒などで平に押えて固化させます。これを198回繰り返して叩き板2を完成させます。
【００２６】
次に、柄3用に幅20mm、長さ390mm、厚さ3mmの長方形のプラスチック板を用意します。390mm中90mmの位置でプラスチック板を熱で15度曲げて柄を作ります。15°の方向は90mmを平らな場所に密着させたとき300mmの端は90mmを密着させた平らな場所より80mm程上に浮きます。そして次に柄3の90mmの平らな場所に密着させた面に両面テープを張り、先ほど作成した199本の針を突出させた叩き板3の針1の突出している叩き面と反対面に等脚台形の対称軸と柄3の幅20mmの中心を合わせ貼り付けます。この時等脚台形の高さ90mmの先端と上底は図2のように平面図では同じ面になっています。
【００２７】
こうして作った製品を使って実際に床に見つけたゴキブリの捕獲を試みました。スリッパで叩くより弱めの力で叩いたのですが針はゴキブリの体を貫通しそのごきぶりは刺された瞬間キュッと縮んだ感じがして捕獲に成功しました。捕獲した後の床に汚れは無く、ゴキブリの体に刺さった針20本程の内の2〜3本の針の穴の背中側の周囲ごくわずか、0.5平方mm程度に体液らしき液体がにじみ出ていたのが確認できた程度でした。
【符号の説明】
【００２８】
1  針
2  叩き板
3  柄
4  針根元のR(針補強)
5  床、壁等の平面
6  柄の角度から出来る空間
7  壁
8  床
9  等脚台形の一方の脚を壁に密接させたときの柄と壁との空間
10  等脚台形の一方の脚を床に密接させたときの柄と床との空間
【図１】
2014226119.tif 000003
【図２】
2014226119.tif 000004
【図３】
2014226119.tif 000005
【図４】
2014226119.tif 000006
【図５】
2014226119.tif 000007
【図６】
2014226119.tif 000008
【図７】
2014226119.tif 000009